(57)【要約】【課題】ブランクの折曲精度を向上させ、不良品の発生を防止する。【解決手段】周壁をなす４面の側壁１，２のうち、１面の側壁１は隣接する側壁２から延びる部分を接合して形成し、その一方から延出した仕切板３の先端を対向する側壁１に接合した仕切付き段ボール箱において、前記接合時に折り重ねられる側壁１，２の稜部に、その折曲の基準罫線Ｖに対して傾斜する多数の補助罫線Ｓを入れ、この補助罫線Ｓを、側壁１，２の上部では基準罫線Ｖにかけて下方へ、下部では基準罫線Ｖにかけて上方へ傾斜させる。補助罫線Ｓが弱め線となって、折曲応力が基準罫線Ｖに集中し、ブランクが所定の位置で正確に折れ曲がり、補助罫線Ｓの方向により、段積み時の座屈も防止される。【選択図】　図１
2004083038.tif 000002
【特許請求の範囲】
【請求項１】
順次連設した各面の側壁を折り重ねて接合し、これを組み立てて周壁を形成する段ボール箱において、前記接合時に折り重ねられる側壁の稜部に、その折曲の基準線に対して傾斜する多数の弱め線を入れ、この弱め線を、側壁の上部では折曲基準線にかけて下方へ、下部では折曲基準線にかけて上方へ傾斜させたことを特徴とする段ボール箱。
【請求項２】
順次連設した各面の側壁を折り重ねて接合し、これを組み立てて周壁を形成する段ボール箱において、前記接合時に折り重ねられる側壁の稜部に、折曲基準線上の直線部と、これに対して傾斜する鉤部とから成る切目が断続したジッパを入れ、折曲基準線を挟んで鉤部の反対側に、折曲基準線に対して傾斜する弱め線を入れたことを特徴とする段ボール箱。
【発明の詳細な説明】
【０００１】
【発明の属する技術分野】
この発明は、順次連設した各面の側壁を折り重ねて接合し、扁平な状態から組み立てて使用する段ボール箱に関するものである。
【０００２】
【従来の技術】
従来より、図１０に示すように、周壁をなす４面の側壁１，２のうち、１面の側壁１は隣接する側壁２から延びる部分をフラップ５と共に接合して形成し、その一方から延出した仕切板３の先端の継代４を対向する側壁１に接合して内部を区画し、フラップ５，６を重ねて封緘する段ボール箱が使用されている。
【０００３】
この段ボール箱では、側壁１，２の下部裏面に全周に亘ってカットテープ７が貼り付けられ、このカットテープ７に沿って側壁１，２を切断し、その上方部分を除去すると、段ボール箱の下部がトレーとなって、商品を露出させた状態で陳列することができる。
【０００４】
上記段ボール箱は、図１１に示すような一方向に長い段ボールブランクから成り、このブランクを、中間の側壁１とその一方に隣接する側壁２の外側の罫線Ｖに沿って折り重ね、分割された側壁１及びフラップ５の外側部と継代４とに塗布した接着剤により、図１２に示すように接合した扁平な折畳状態で出荷される。
【０００５】
【発明が解決しようとする課題】
ところで、上記のようなブランクから仕切り付き段ボール箱を精度よく製造するには、ブランクを罫線Ｖに沿って正確に折り曲げる必要があるが、罫線Ｖの位置が段ボールの中芯の段頂間中央に対して偏っていると、罫線Ｖの左右で折曲抵抗に差が生じ、所定の位置でブランクが折れ曲がらないことがある。
【０００６】
そして、ブランクの折曲が不正確であれば、図１３に示すように、側壁１同士や継代４と側壁１の接合される位置がずれて、組み立てやトレーへの変形に支障を来たすことがあり、このような不良品が多数発生すると、資源が無駄になるほか、その選別作業が煩雑になるという問題が生じる。
【０００７】
そこで、この発明は、ブランクの折曲精度を向上させ、不良品の発生を防止することを課題とする。
【０００８】
【課題を解決するための手段】
上記課題を解決するため、この発明は、順次連設した各面の側壁を折り重ねて接合し、これを組み立てて周壁を形成する段ボール箱において、前記接合時に折り重ねられる側壁の稜部に、その折曲の基準線に対して傾斜する多数の弱め線を入れ、この弱め線を、側壁の上部では折曲の基準線にかけて下方へ、下部では折曲の基準線にかけて上方へ傾斜させたのである。
【０００９】
このような弱め線を入れると、折曲の基準線に折曲応力が集中するので、ブランクが所定の位置で正確に折れ曲がり、接合精度が向上して、不良品の発生が防止されるほか、使用状態での段積み時における座屈も防止される。
【００１０】
また、前記接合時に折り重ねられる側壁の稜部に、折曲基準線上の直線部と、これに対して傾斜する鉤部とから成る切目が断続したジッパを入れ、折曲基準線を挟んで鉤部の反対側に、折曲基準線に対して傾斜する弱め線を入れると、ジッパ沿いに側壁を切り開いて開口陳列を可能としつつ、折曲精度を向上させることができる。
【００１１】
【発明の実施の形態】
まず、この発明の第１実施形態に係る段ボール箱を図１に示す。
【００１２】
この段ボール箱の基本構成は、図１０に示す従来のものと同様、周壁をなす４面の側壁１，２のうち、１面の側壁１を、隣接する側壁２から延びる部分をフラップ５と共に接合して形成し、その一方から延出した仕切板３の先端の継代４を対向する側壁１に接合して内部を区画し、フラップ５，６を重ねて封緘するものとされ、側壁１，２の下部裏面にはカットテープ７が貼り付けられている。
【００１３】
上記段ボール箱は、図２に示すような段ボールブランクから成り、このブランクを、中間の側壁１とその一方に隣接する側壁２の外側の基準罫線Ｖに沿って折り重ね、分割された側壁１及びフラップ５の外側部と継代４とに塗布した接着剤により、図３に示すように接合した扁平な折畳状態で出荷される。
【００１４】
ここで、上記ブランクでは、箱の内面側となる面において、接合時に折り重ねられる側壁１，２の稜部両側に、基準罫線Ｖに対して傾斜する多数の補助罫線Ｓが入れられている。
【００１５】
ところで、段積み時には、箱のコーナーから胴部側にかけて斜めに座屈線が入って外観が損なわれることがあり、補助罫線Ｓの傾斜方向と座屈線が入りやすい方向とが一致していると、座屈を誘発する原因となる恐れがある。
【００１６】
このため、上記ブランクでは、補助罫線Ｓを、座屈線の入りやすい方向とは逆になるように、側壁１，２の上半部では基準罫線Ｖにかけて下方へ、下半部では基準罫線Ｖにかけて上方へ傾斜させている。また、補助罫線Ｓを、基準罫線Ｖに対し千鳥状に配して分散させ、圧縮強度の低下を防止している。
【００１７】
上記のような補助罫線Ｓを入れると、補助罫線Ｓが弱め線となって、基準罫線Ｖと補助罫線Ｓの交差部に折曲応力が集中するので、図３に示すように、ブランクが基準罫線Ｖに沿って所定の位置で正確に折れ曲がり、精度の高い段ボール箱を形成することができる。
【００１８】
また、図４に示すように、基準罫線Ｖ及び補助罫線Ｓを、多数の切欠部を有する刃で押圧し、断続する罫線として入れると、押圧力が高まって、基準罫線Ｖ及び補助罫線Ｓが鮮明に入り、折曲精度を向上させることができる。
【００１９】
なお、基準罫線Ｖ及び補助罫線Ｓは、押罫だけでなく、罫線と切目とが交互に断続するリード罫としたり、箱の内面側から段ボールの厚さの半分程度を切断した半切罫としてもよい。
【００２０】
また、上記実施形態では、仕切付き段ボール箱を例示したが、この発明に係る折曲部の構成は、仕切板のない通常の溝切り形段ボール箱にも適用することができる。
【００２１】
次に、この発明の第２実施形態に係る段ボール箱を図５に示す。
【００２２】
この段ボール箱の基本構成は、周壁をなす４面の側壁１，２のうち、１面の側壁２を、隣接する側壁１から延びる部分をフラップ６と共に接合して形成し、その一方から延出した仕切板３の先端の継代４を対向する側壁２に接合して内部を区画し、フラップ５，６を重ねて封緘するものとなっている。
【００２３】
また、側壁１，２の下部裏面にはカットテープ７が貼り付けられ、側壁１，２の稜部には、鉤形の切目が断続するジッパＫ，Ｌが入れられている。そして、このカットテープ７及びジッパＫ，Ｌに沿って側壁１を切断すると、図６に示すように、側面が開口し、収納した商品を露出させて陳列することができる。
【００２４】
上記段ボール箱は、図７に示すような段ボールブランクから成り、このブランクを、ジッパＫが形成された罫線に沿って折り重ね、分割された側壁２及びフラップ６の外側部と継代４とに塗布した接着剤により、図８に示すように接合した扁平な折畳状態で出荷される。
【００２５】
ここで、ジッパＫ，Ｌの切目は、折曲基準線上の直線部Ｒと、これに対して傾斜した鉤部Ｔとから成り、強度保持のため押罫のみとされた角部を除いて、カットテープ７の上方に設けられている。
【００２６】
また、折曲基準線を挟んでジッパＫ，Ｌの鉤部Ｔの反対側及びジッパＫを有する稜部のカットテープ７の下方には、箱の内面側となる面において、折曲基準線に対して傾斜する多数の補助罫線Ｓが入れられている。補助罫線Ｓは押罫とされている。
【００２７】
このように、接合時に折り重ねられる側壁１，２の稜部にジッパＫ及び補助罫線Ｓを入れると、鉤部Ｔ及び補助罫線Ｓが弱め線となって、折曲基準線に折曲応力が集中するので、図８に示すように、ブランクが折曲基準線に沿って所定の位置で正確に折れ曲がり、精度の高い段ボール箱を形成することができる。
【００２８】
また、補助罫線Ｓに代えて、ジッパＫ，Ｌの切目を、図９に示すように、直線部Ｒから両側に鉤部Ｔが延びるＹ字形としても、同様の効果を得られる。
【００２９】
なお、ジッパＫ，Ｌの切目は、段ボールの表裏に貫通する全切とするのが通常であるが、箱の内面側から段ボールの厚さの半分程度を切断した半切としてもよく、直線部Ｒのみを全切とし、鉤部Ｔを半切としてもよい。
【００３０】
【発明の効果】
以上のように、この発明に係る段ボール箱では、折曲基準線に対して傾斜した多数の弱め線により、折曲応力が折曲基準線に集中するので、ブランクが所定の位置で正確に折れ曲がり、不良品の発生が防止され、弱め線の傾斜方向により、使用状態での段積み時における座屈も防止される。
【００３１】
また、折曲基準線上に直線部が位置するジッパを入れ、その鉤部の反対側に弱め線を入れると、ジッパ沿いに側壁を切り開いて開口陳列を可能としつつ、折曲精度を向上させることができる。
【図面の簡単な説明】
【図１】この発明に係る仕切り付き段ボール箱の第１実施形態を示す斜視図
【図２】同上の段ボール箱のブランクを示す図
【図３】同上の折り重ね状態を示す図
【図４】同上の罫線の他例を示す図
【図５】この発明に係る仕切り付き段ボール箱の第２実施形態を示す斜視図
【図６】同上の開口状態を示す斜視図
【図７】同上の段ボール箱のブランクを示す図
【図８】同上の折り重ね状態を示す図
【図９】同上のジッパの他例を示す図
【図１０】従来の仕切り付き段ボール箱の斜視図
【図１１】同上の段ボール箱のブランクを示す図
【図１２】同上の折り重ね状態を示す図
【図１３】同上の不良品を示す図
【符号の説明】
１，２　側壁
３　仕切板
４　継代
５，６　フラップ
７　カットテープ
Ｖ　基準罫線
Ｓ　補助罫線
Ｋ，Ｌ　ジッパ
Ｒ　直線部
Ｔ　鉤部
【図１】
2004083038.tif 000003
【図２】
2004083038.tif 000004
【図３】
2004083038.tif 000005
【図４】
2004083038.tif 000006
【図５】
2004083038.tif 000007
【図６】
2004083038.tif 000008
【図７】
2004083038.tif 000009
【図８】
2004083038.tif 000010
【図９】
2004083038.tif 000011
【図１０】
2004083038.tif 000012
【図１１】
2004083038.tif 000013
【図１２】
2004083038.tif 000014
【図１３】
2004083038.tif 000015